(57)【要約】  方法及びデバイスは、ナビゲーションについて開示する。少なくとも１つの実施形態では、方法は、ナビゲーション装置の一体化した入力及び表示用のデバイスにおいて複数のオプションのうち少なくとも１つの選択を促すことと、複数のオプションのうち少なくとも１つの選択の指示を受けた時に、少なくとも１つのオプションの選択の指示を格納することと、少なくとも１つの選択されたオプションを有効にするための少なくとも１つのアイコンを、ナビゲーション装置の一体化した入力及び表示用のデバイス上に表示することと、を含むことを特徴とする。少なくとも１つの実施形態では、ナビゲーション装置は、複数のオプションのうち少なくとも１つの選択を促す一体化した入力及び表示用のデバイスと、複数のオプションのうち少なくとも１つの選択の指示を受けた時に、少なくとも１つのオプションの選択の指示を格納するメモリと、を備え、一体化した入力及び表示用のデバイスは、少なくとも１つの選択されたオプションを有効にするための少なくとも１つのアイコンを表示するために使用可能であることを特徴とする。
2010515899.tif 000002
【特許請求の範囲】
【請求項１】
ナビゲーション装置を操作する方法であって、
ナビゲーション装置の一体化した入力及び表示用のデバイス上に、前記ナビゲーション装置の設定可能な機能の代表である選択可能な表示オプションを複数含むリストを表示させることと、
前記表示オプション群のうち１以上の選択を受信することであって、この受け付ける選択は、選択された１以上の表示オプションの有効化若しくは無効化と、それらの１以上の表示オプションの有効化の状態の格納と、を生じさせ、
有効化された状態にある表示オプションの数を判定することと、
少なくとも１つのアイコンを地図情報と共に、少なくとも１つの表示オプションが有効化されているという判定の上で、前記ナビゲーション装置の前記一体化した入力及び表示用のデバイス上に表示することと、前記少なくとも１つのアイコンの選択により呼び出し可能な、前記少なくとも１つの有効化されたオプションにより表現される設定可能な機能に特化した更なる情報の表示を行わせるショートカット／ルーチンを確立すること
とを有することを特徴とする方法。
【請求項２】
異なるアイコンは、たった１つの表示オプションが有効化状態にあるか、複数の表示オプションがそのように有効化状態にあるのか、に依存して表示されることを特徴とする請求項１に記載の方法。
【請求項３】
前記少なくとも１つのアイコンは、ナビゲーションモードにおけるナビゲーション装置の利用中に表示されることを特徴とする請求項１又は２に記載の方法。
【請求項４】
複数の表示オプションが有効化されている場合、前記更なる情報は、複数の選択可能な二次的なアイコンであり、それぞれは、前記デバイスの異なる設定可能な機能に関連していることを特徴とする請求項１乃至３の何れか１項に記載の方法。
【請求項５】
複数のオプションが有効化されている場合に、複数のアイコンは、地図情報と共に、前記一体化した入力及び表示用のデバイス上に表示され、前記複数のアイコンのうち少なくとも１つは、前記有効化された表示オプションのうちの１つの代表であることを特徴とする請求項１乃至４の何れか１項に記載の方法。
【請求項６】
前記少なくとも１つのアイコンのうちの１つが選択された時に、前記選択されたアイコンに対応する前記設定可能な機能は、自動的に有効化されることを特徴とする請求項１乃至５の何れか１項に記載の方法。
【請求項７】
コンピュータ上での実行時に請求項１乃至６の何れか１項に記載の全てのステップを実行するように構成されたコンピュータ・プログラム・コード手段を有するコンピュータプログラム。
【請求項８】
コンピュータ読み取り可能な記憶媒体上若しくはその中で実装される場合における、請求項７に記載のコンピュータプログラム。
【請求項９】
請求項１乃至６の何れか１項に記載の前記方法を実行するナビゲーション装置であって、
前記ナビゲーション装置の設定可能な機能の代表である複数の表示オプションのうち、少なくとも１つの選択を促す一体化した入力及び表示用のデバイスと、
前記複数の表示オプションのうちの少なくとも１つの選択の指示を受けたときに、前記少なくとも１つの表示オプションの有効化の状態を格納するメモリと、
少なくとも１つの表示オプションが有効であるか否かを判定し、前記判定が正で、前記一体化した入力及び表示用のデバイス上に、地図情報と共に少なくとも１つのアイコンの表示を行わせるプロセッサであって、前記プロセッサは更に、前記少なくとも１つのアイコンの選択により呼び出し可能な、前記少なくとも１つの有効化された表示オプションにより表現される前記設定可能な機能に特化した更なる情報の表示を行わせることを前記プロセッサにより実行可能なショートカットルーチンを確立する
ことを有することを特徴とするナビゲーション装置。
【発明の詳細な説明】
【技術分野】
【０００１】
本発明は、一般的には、ナビゲーション方法及びナビゲーション装置に関する。
【背景技術】
【０００２】
ナビゲーション装置は元々、自動車、オートバイ、トラック、ボートなどの車両での利用を主な分野として用いられている。一方で、そのようなナビゲーション装置が携帯可能である場合、ナビゲーション装置は更に、車両及び／又は徒歩による移動などの車外利用の間で受け渡し可能である。
【０００３】
これらの装置は、典型的には、ナビゲーション装置の最初の位置と、選択された／入力された走向先（終了地点）と、に基づいて走向ルートを求めるように構成されている。ここで、最初の位置は装置に入力可能であるが、慣習的には、ナビゲーション装置内のGPS受信器からのGPS位置決めを介して算出される。しかし、より最近では、ナビゲーション装置は、ますます付加的な機能やオプションを含んでいる。
【発明の概要】
【０００４】
発明者らは、ナビゲーション装置の第１の目的が車両案内であるのに、あるオプションへのアクセスが、難しく、遅く、若しくは煩わしく成りうることを発見した。従って、本願の発明者らは、例えナビゲーションモードでナビゲーション装置を利用中であったとしても、ユーザが、彼らに最も人気のあるオプションをマークしたり選択したりし、その後、これらのマークされたオプション若しくは選択されたオプションに対してユーザが容易にアクセスすることができるような方法を開発した。
【０００５】
本願の少なくとも１つの実施形態では、方法は、ナビゲーション装置の一体化した入力及び表示用のデバイスにおいて複数のオプションのうち少なくとも１つの選択を促すことと、複数のオプションのうち少なくとも１つの選択の指示を受けた時に、少なくとも１つのオプションの選択の指示を格納することと、少なくとも１つの選択されたオプションを有効にするための少なくとも１つのアイコンを、ナビゲーション装置の一体化した入力及び表示用のデバイス上に表示することと、を含むことを特徴とする。
【０００６】
本願の少なくとも１つの実施形態では、ナビゲーション装置は、複数のオプションのうち少なくとも１つの選択を促す一体化した入力及び表示用のデバイスと、複数のオプションのうち少なくとも１つの選択の指示を受けた時に、少なくとも１つのオプションの選択の指示を格納するメモリと、を備え、一体化した入力及び表示用のデバイスは、少なくとも１つの選択されたオプションを有効にするための少なくとも１つのアイコンを表示するために使用可能であることを特徴とする。
【０００７】
本願の少なくとも１つの他の実施形態では、方法は、ナビゲーション装置において複数のオプションのうち１つの有効化の指示を受けることと、複数のオプションのうち１つの有効化の指示を受けた時に、有効化されたオプションの有効化の指示を格納することと、１つの有効化されたオプションの引き続く有効化の為のアイコンを、ナビゲーション装置の一体化した入力及び表示用のデバイス上に表示することと、を含むことを特徴とする。
【０００８】
本願の少なくとも１つの他の実施形態では、ナビゲーション装置は、ナビゲーション装置において複数のオプションのうち１つの有効化の指示を受けるプロセッサと、複数のオプションのうち１つの有効化の指示を受けた時に、有効化されたオプションの有効化の指示を格納するメモリと、１つの有効化されたオプションの引き続く有効化の為のアイコンを表示する一体化した入力及び表示用のデバイスと、を含むことを特徴とする。
【０００９】
例示的な実施形態を使用し且つ添付の図面を参照して、本発明を以下により詳細に説明する。
【図面の簡単な説明】
【００１０】
【図１】全地球測位システム（ＧＰＳ）の一例を示す図である。
【図２】本発明の一実施形態のナビゲーション装置の電子構成要素の一例を示すブロック図である。
【図３】本発明の一実施形態の、サーバ、ナビゲーション装置、及びそれらの間の接続の例示的なブロック図である。
【図４Ａ】ナビゲーション装置２００の一実施形態の実施の透視図である。
【図４Ｂ】ナビゲーション装置２００の一実施形態の実施の透視図である。
【図５】本願の一実施形態の例示的なフローを示す図である。
【図６】本願の一実施形態の更なる例示的なフローを示す図である。
【図７Ａ】本願の一実施形態の表示されたオプション選択メニューの一例を示す図である。
【図７Ｂ】本願の一実施形態の表示されたオプション選択メニューの一例を示す図である。
【図８】本願の一実施形態のナビゲーションモードにおける、表示された代表的な高速アクセスアイコンの一例を示す図である。
【図９Ａ】本願の一実施形態の表示されたオプション選択メニューの一例を示す図である。
【図９Ｂ】本願の一実施形態の表示されたオプション選択メニューの一例を示す図である。
【図１０】本願の一実施形態のナビゲーションモードにおける、表示された一般的な高速アクセスアイコンの一例を示す図である。
【図１１】本願の例示的な実施形態の表示された一般的な高速アクセスメニューを示す図である。
【図１２】本願の他の実施形態の例示的なフローを示す図である。
【図１３】本願の他の実施形態の更なる例示的なフローを示す図である。
【発明を実施するための形態】
【００１１】
本書で用いられる用語は、具体的な実施形態を記述することだけを目的としており、本発明を限定することを意図していない。本書では、単数形「ａ」「ａｎ」「ｔｈｅ」は、別に明示しない限り、複数形も同様に含むことを意図する。さらに理解されるであろうが、「含む（includes）」および／または「含めて（including）」という用語は、本明細書で用いられる場合、述べられた特徴、整数、ステップ、動作、要素および／または構成要素の存在を明記するが、１つ以上の他の特徴、整数、ステップ、動作、要素、構成要素、および／またはそれらのグループの存在もしくは追加を排除しない。
【００１２】
図面中に図解された例としての実施形態を記述する際、明確にするために特定の用語が採用される。しかし、この特許明細書の開示は、そのように選択された特定の用語に限定されることを意図されておらず、理解されるべきだが、特定の各要素は、同様のかたちで動作するすべての技術的同等物を含む。
【００１３】
図面では、類似の参照番号は複数の図面を通じて同一のまたは対応する部分を指すが、本特許出願の例としての実施形態について以下で記述する。全体を通じて、類似の番号は類似の要素を指す。本書では、「および／または」という用語は、関連付けられてリストされた項目の１つ以上のいずれかの組み合わせとすべての組み合わせとを含む。
【００１４】
図１は、本願の実施形態のナビゲーション装置を含む、ナビゲーション装置により使用可能な全地球測位システム（ＧＰＳ）の一例を示す図である。そのようなシステムは周知であり、種々の目的に使用される。一般に、ＧＰＳは、連続的な位置、速度、時間及びいくつかの例においては方向情報を無数のユーザに対して判定できる衛星無線ナビゲーションシステムである。
【００１５】
以前はＮＡＶＳＴＡＲとして周知であったＧＰＳは、極めて正確な軌道で地球と共に動作する複数の衛星を使用する。これらの正確な軌道に基づいて、ＧＰＳ衛星は、それらの場所を任意の数の受信装置に中継できる。
【００１６】
ＧＰＳデータを受信する能力を特別に備える装置がＧＰＳ衛星信号に対する無線周波数の走査を開始する場合、ＧＰＳシステムは実現される。ＧＰＳ衛星から無線信号を受信すると、装置は、複数の異なる従来の方法のうちの１つを用いて、その衛星の正確な場所を判定する。殆どの例において、装置は、少なくとも３つの異なる衛星信号を取得するまで信号の走査を継続する（尚、位置は、通常は２つの信号のみでは判定されないが、他の三角測量技術を使用して２つの信号から判定することもできる）。幾何学的三角測量を実現する場合、受信機は、３つの既知の位置を利用して、衛星に対する自身の２次元位置を判定する。これは、周知の方法で行われる。更に、第４の衛星信号を取得することにより、受信装置は、同一の幾何学計算によって周知の方法でその３次元位置を計算できる。位置データ及び速度データは、無数のユーザにより連続的にリアルタイムで更新可能である。
【００１７】
図１に示すように、ＧＰＳシステム全体を参照番号１００で示す。複数の衛星１２０は、地球１２４の周囲の軌道上にある。各衛星１２０の軌道は、他の衛星１２０の軌道と必ずしも同期せず、実際には非同期であることが多い。本願のナビゲーション装置の実施形態中で使用可能なＧＰＳ受信機１４０は、種々の衛星１２０からスペクトル拡散ＧＰＳ衛星信号１６０を受信するように示される。
【００１８】
各衛星１２０から連続的に送信されるスペクトル拡散信号１６０は、極めて正確な原子時計を用いて達成される非常に正確な周波数標準を利用する。各衛星１２０は、そのデータ信号送信１６０の一部として、その特定の衛星１２０を示すデータストリームを送信する。一般に、ＧＰＳ受信機１４０が、ＧＰＳ受信機１４０に対する少なくとも３つの衛星１２０からスペクトル拡散ＧＰＳ衛星信号１６０を取得し、三角測量によりその２次元位置を計算することが当業者には理解される。更なる信号を取得すると、全部で４つの衛星１２０から信号１６０を取得する結果となり、これによってＧＰＳ受信機１４０は、その３次元位置を周知の方法で計算できる。
【００１９】
図２は、本願の一実施形態のナビゲーション装置２００の電子構成要素の一例をブロック構成要素の形式で示すブロック図である。尚、ナビゲーション装置２００のブロック図は、ナビゲーション装置の全ての構成要素を含むものではなく、構成要素の多くの例を表すにすぎない。
【００２０】
ナビゲーション装置２００は、筐体（不図示）内に位置付けられる。筐体は、入力装置２２０及び表示画面２４０に接続されるプロセッサ２１０を含む。入力装置２２０は、キーボード装置、音声入力装置、タッチパネル及び／又は情報を入力するために利用される他の任意の周知の入力装置を含むことができ、表示画面２４０は、例えばＬＣＤディスプレイ等の任意の種類の表示画面を含むことができる。本願の少なくとも１つの実施形態において、入力装置２２０及び表示画面２４０は、タッチパッド又はタッチスクリーン入力を含む一体型入力表示装置に一体化され、その場合、ユーザは、複数の表示選択肢のうちの１つを選択するか又は複数の仮想ボタンのうちの１つを操作するために、表示画面２４０の一部分に接触するだけでよい。
【００２１】
更に、他の種類の出力装置２５１は可聴出力装置を含むことができるが、これに限定されない。出力装置２５１がナビゲーション装置２００のユーザに対して可聴情報を生成できるため、同様に、入力装置２４０は入力音声コマンドを受信するマイク及びソフトウェアを更に含むことができると理解される。
【００２２】
ナビゲーション装置２００において、プロセッサ２１０は、接続２２５を介して入力装置２４０に動作可能に接続され且つ入力装置２４０から入力情報を受信するように設定される。また、プロセッサ２１０は、情報を出力するために、表示画面２４０及び出力装置２５１のうちの少なくとも一方に出力接続２４５を介して動作可能に接続される。更に、プロセッサ２１０は、接続２３５を介してメモリ２３０に動作可能に接続され、接続２７５を介して入出力（Ｉ／Ｏ）ポート２７０との間で情報を送受信するように更に構成される。この場合、Ｉ／Ｏポート２７０は、ナビゲーション装置２００の外部のＩ／Ｏ装置２８０に接続可能である。外部Ｉ／Ｏ装置２７０は、例えばイヤホン等の外部聴音装置を含んでもよいが、これに限定されない。更に、Ｉ／Ｏ装置２８０への接続は、例えばハンズフリー動作及び／又は音声起動動作のため、イヤホン又はヘッドフォンへの接続のため、並びに／あるいは例えば移動電話への接続のためのカーステレオユニット等の他の任意の外部装置への有線接続又は無線接続となる。この場合、移動電話接続は、ナビゲーション装置２００とインターネット又は例えば他の任意のネットワークとの間のデータ接続を確立するため及び／又はインターネット又は例えば他の任意のネットワークを介するサーバへの接続を確立するために使用されてもよい。
【００２３】
少なくとも１つの実施形態では、ナビゲーション装置２００は、デジタル接続（例えば、周知のBluetooth技術を介するデジタル接続等）を確立する移動装置４００（移動電話、ＰＤＡ及び／又は移動電話技術を用いる任意の装置等）を介して、サーバ３０２との「モバイル」ネットワーク接続を確立してもよい。従って、そのネットワークサービスプロバイダを介して、移動装置４００は、サーバ３０２とのネットワーク接続を（例えば、インターネットを介して）確立できる。そのため、「モバイル」ネットワーク接続は、情報に対する「リアルタイム」又は少なくとも非常に「最新」のゲートウェイを提供するために、ナビゲーション装置２００（単体で及び／又は車載走行時に移動可能であり且つ多くの場合移動している）とサーバ３０２との間に確立される。
【００２４】
例えばインターネット４１０を使用して、移動装置４００（サービスプロバイダを介する）とサーバ３０２等の別の装置との間にネットワーク接続を確立することは、周知の方法で行われる。これは、例えばＴＣＰ／ＩＰ階層プロトコルの使用を含む。移動装置４００は、ＣＤＭＡ、ＧＳＭ、ＷＡＮ等の任意の数の通信規格を利用できる。
【００２５】
そのため、例えば移動電話又はナビゲーション装置２００内の移動電話技術を介するデータ接続を介して達成されるインターネット接続が利用されてもよい。この接続の場合、サーバ３０２とナビゲーション装置２００との間のインターネット接続が確立される。これは、例えば、移動電話又は他の移動装置及びＧＰＲＳ（汎用パケット無線サービス）接続（ＧＰＲＳ接続は、通信会社により提供される移動装置用高速データ接続であり、ＧＰＲＳはインターネットへの接続方法である）を介して行われる。
【００２６】
更に、ナビゲーション装置２００は、移動装置４００とのデータ接続を完成し、例えば既存のBluetooth技術を介して周知の方法でインターネット４１０及びサーバ３０２とのデータ接続を最終的に完成する。この場合、例えばデータプロトコルは、ＧＳＭ規格に対するデータプロトコル規格であるＧＳＲＭ等の任意の数の規格を利用できる。
【００２７】
ナビゲーション装置２００は、ナビゲーション装置２００自体の内部にそれ自体の移動電話技術を含んでもよい（例えばアンテナを含み、その場合、ナビゲーション装置２００の内部アンテナが更に代わりに使用可能である）。ナビゲーション装置２００内の移動電話技術は、上述のような内部構成要素を含むことができ且つ／又は例えば必要な移動電話技術及び／又はアンテナを備える挿入可能なカードを含むことができる。そのため、ナビゲーション装置２００内の移動電話技術は、任意の移動装置４００の方法と同様の方法で、例えばインターネット４１０を介して、ナビゲーション装置２００とサーバ３０２との間にネットワーク接続を同様に確立できる。
【００２８】
ＧＲＰＳ電話設定の場合、多様な移動電話の機種、製造業者等と共に正しく動作するために、Bluetooth対応の装置が使用されてもよく、機種／製造業者専用設定は、例えばナビゲーション装置２００に格納されてもよい。この情報のために格納されたデータは、以前に及びこれ以降にいずれかの実施形態において論じられたやり方で更新される。
【００２９】
図２は、接続２５５を介するプロセッサ２１０とアンテナ／受信機２５０との間の動作可能な接続を更に示す。この場合、アンテナ／受信機２５０は、例えばＧＰＳアンテナ／受信機であってもよい。参照番号２５０で示されるアンテナ及び受信機は、図示のために概略的に組み合わされるが、アンテナ及び受信機は、別個に位置付けられる構成要素であってもよく、アンテナは、例えばＧＰＳパッチアンテナやヘリカルアンテナであってもよいことが理解されるだろう。
【００３０】
更に、図２に示す電子構成要素が従来の方法で電源（不図示）により電力を供給されることが当業者には理解されるだろう。当業者により理解されるように、図２に示す構成要素の異なる構成が本発明の範囲内で考えられる。例えば、一実施形態において、図２に示す構成要素は、有線接続及び／又は無線接続等を介して互いに通信状態にあってもよい。従って、本発明のナビゲーション装置２００の範囲は、ポータブル又はハンドヘルドナビゲーション装置２００を含む。
【００３１】
更に、図２のポータブル又はハンドヘルドナビゲーション装置２００は、例えば自動車又は船舶等の電動車両に周知の方法で接続されるか又は「ドッキング」される。その場合、そのようなナビゲーション装置２００は、ポータブル又はハンドヘルドナビゲーションとして使用するために、ドッキング場所から取り外し可能である。
【００３２】
図３は、本発明の実施形態の汎用通信チャネル３１８を介する、本願のサーバ３０２及びナビゲーション装置２００の一例を示すブロック図である。通信チャネル３１８を介する接続が本発明のサーバ３０２とナビゲーション装置２００との間に確立される場合、サーバ３０２及びナビゲーション装置２００は通信可能である（尚、そのような接続は、移動装置を介するデータ接続、インターネットを介するパーソナルコンピュータを介する直接接続等である）。
【００３３】
サーバ３０２は、図示しない他の構成要素に加えて、メモリ３０６に動作可能に接続され且つ有線又は無線接続３１４を介して大容量データ記憶装置３１２に動作可能に更に接続されるプロセッサ３０４を含む。更に、プロセッサ３０４は、通信チャネル３１８を介してナビゲーション装置２００と情報の送受信を行うために、送信機３０８及び受信機３１０に動作可能に接続される。送受信される信号は、データ信号、通信信号及び又は他の伝搬信号を含んでもよい。送信機３０８及び受信機３１０は、ナビゲーションシステム２００の通信設計において使用される通信条件及び通信技術に従って選択又は設計されてもよい。尚、送信機３０８及び受信機３１０の機能は、信号送受信機に組み合わされてもよい。
【００３４】
サーバ３０２は、大容量記憶装置３１２に更に接続される（又は、大容量記憶装置３１２を含む）。尚、大容量記憶装置３１２は、通信リンク３１４を介してサーバ３０２に結合されてもよい。大容量記憶装置３１２は、大量のナビゲーションデータ及び地図情報を含む。また、大容量記憶装置３１２は、サーバ３０２とは別個の装置であってもよく、サーバ３０２に組み込まれてもよい。
【００３５】
ナビゲーション装置２００は、通信チャネル３１８を介してサーバ３０２と通信するように構成され、図２に関して上述したように、プロセッサ、メモリ等を含み、更に、通信チャネル３１８を介して信号及び／又はデータを送出する送信機３２０及び受信する受信機３２２を含む。尚、これらの装置は、サーバ３０２以外の装置と通信するためにも使用される。更に、送信機３２０及び受信機３２２は、ナビゲーション装置２００の通信設計において使用される通信条件及び通信技術に従って選択又は設計され、送信機３２０及び受信機３２２の機能は、単一の送受信機に組み合わされてもよい。
【００３６】
サーバメモリ３０６に格納されるソフトウェアは、プロセッサ３０４に命令を提供し、サーバ３０２がナビゲーション装置２００にサービスを提供できるようにする。サーバ３０２により提供される１つのサービスは、ナビゲーション装置２００からの要求の処理及び大容量データ記憶装置３１２からナビゲーション装置２００へのナビゲーションデータの送信を含む。本願の少なくとも１つの実施形態によれば、サーバ３０２により提供される別のサービスは、所望のアプリケーションに対する種々アルゴリズムを使用したナビゲーションデータの処理及びナビゲーション装置２００へのこれらの計算の結果の送出を含む。
【００３７】
一般に、通信チャネル３１８は、ナビゲーション装置２００とサーバ３０２とを接続する伝搬媒体又はパスを表す。本願の少なくとも１つの実施形態によれば、サーバ３０２及びナビゲーション装置２００の双方は、通信チャネルを介してデータを送信する送信機及び通信チャネルを介して送信されたデータを受信する受信機を含む。
【００３８】
通信チャネル３１８は、特定の通信技術に限定されない。更に、通信チャネル３１８は、単一の通信技術に限定されない。すなわち、チャネル３１８は、種々の技術を使用する複数の通信リンクを含んでもよい。例えば、少なくとも１つの実施形態によれば、通信チャネル３１８は、電気通信、光通信及び／又は電磁通信等のためのパスを提供するように構成される。そのため、通信チャネル３１８は、電気回路、ワイヤ及び同軸ケーブル等の電気導体、光ファイバケーブル、コンバータ、無線周波数（ｒｆ）波、大気、空間等のうちの１つ又はそれらの組み合わせを含むが、それらに限定されない。更に、少なくとも１つの種種の実施形態によれば、通信チャネル３１８は、例えば、ルータ、中継器、バッファ、送信機及び受信機等の中間装置を含むことができる。
【００３９】
例えば、本願の少なくとも１つの実施形態によれば、通信チャネル３１８は、電話及びコンピュータネットワークを含む。更に、少なくとも１つの実施形態では、通信チャネル３１８は、無線周波数、マイクロ波周波数、赤外線通信等の無線通信に適応できてもよい。更に、少なくとも１つの実施形態によれば、通信チャネル３１８は衛星通信に適応できる。
【００４０】
通信チャネル３１８を介して送信される通信信号は、所定の通信技術に必要とされるか又は望まれる信号を含むが、それらに限定されない。例えば、信号は、時分割多元接続（ＴＤＭＡ）、周波数分割多元接続（ＦＤＭＡ）、符号分割多元接続（ＣＤＭＡ）、Global System for Mobile Communications（ＧＳＭ）等のセルラ通信技術において使用されるように構成されてもよい。デジタル信号及びアナログ信号の双方が通信チャネル３１８を介して送信できる。少なくとも１つの実施形態によれば、これらの信号は、通信技術にとって望ましい変調信号、暗号化信号及び／又は圧縮信号であってもよい。
【００４１】
大容量データ記憶装置３１２は、所望のナビゲーション・アプリケーションにとって十分なメモリを有する。大容量データ記憶装置３１２の例には、例えばハードドライブのような磁気データ記憶媒体、例えばＣＤ−Ｒｏｍのような光学記憶媒体、例えばフラッシュメモリのような帯電式データ記憶媒体、分子メモリなどが含まれてもよい。
【００４２】
本願の少なくとも１つの実施形態によると、サーバ３０２は、無線チャネルを介してナビゲーション装置２００によりアクセス可能なリモートサーバを含む。本願の少なくとも１つの他の実施形態によれば、サーバ３０２は、ローカルエリアネットワーク（ＬＡＮ）、ワイドエリアネットワーク（ＷＡＮ）、仮想プライベートネットワーク（ＶＰＮ）等に位置付けられるネットワークサーバを含んでもよい。
【００４３】
本願の少なくとも１つの実施形態によれば、サーバ３０２は、デスクトップコンピュータ又はラップトップコンピュータ等のパーソナルコンピュータを含んでもよく、通信チャネル３１８は、パーソナルコンピュータとナビゲーション装置２００との間に接続されるケーブルであってもよい。あるいは、パーソナルコンピュータは、ナビゲーション装置２００とサーバ３０２との間に接続されて、サーバ３０２とナビゲーション装置２００との間にインターネット接続を確立してもよい。あるいは、インターネットを介してナビゲーション装置２００をサーバ３０２に接続するために、移動電話又は他のハンドヘルド装置がインターネットへの無線接続を確立してもよい。
【００４４】
ナビゲーション装置２００は、情報ダウンロードを介してサーバ３０２から情報を受信してもよい。情報は、ユーザがナビゲーション装置２００をサーバ３０２に接続する場合に周期的に更新されてもよく且つ／又は例えば無線移動接続装置及びＴＣＰ／ＩＰ接続を介してサーバ３０２とナビゲーション装置２００との間に接続がより継続して又は頻繁に確立される場合に更に動的に更新されてもよい。多くの動的計算のために、サーバ３０２内のプロセッサ３０４が大量の処理要求を処理するために使用されてもよい。しかし、ナビゲーション装置２００のプロセッサ２１０も同様に、多くの場合においてはサーバ３０２への接続に関係なく、多くの処理及び計算を処理できる。
【００４５】
サーバ３０２に接続された大容量記憶装置３１２は、地図なども含めて、ナビゲーション装置２００自身に保持されうるものより多量の地図製作データおよびルートデータのボリュームを含むことができる。サーバ３０２は、例えば、一組の処理アルゴリズムを用いて、ルートに沿って移動するナビゲーション装置２００のうちの大半のデバイスを処理してもよい。さらに、メモリ３１２の中に記憶された地図製作データおよびルートデータは、ナビゲーション装置２００によって当初受信された信号（例えばＧＰＳ信号）に対して動作することができる。
【００４６】
上述の通り、本願の実施形態のナビゲーション装置２００はプロセッサ２１０、入力装置２２０、表示画面２４０を有する。少なくとも１つの実施形態によれば、入力装置２２０及び表示画面２４０は、一体化した入力及び表示用のデバイスに統合する。例えばタッチパネルスクリーンに適応すると、情報（直接入力、メニュー選択などを介して）の入力及び情報の表示の両方を可能にする。例えばタッチ入力ＬＣＤ画面のような画面は当業者には周知のものである。更に、ナビゲーション装置２００は、例えばオーディオ入力／出力装置などの、更なる入力装置２２０及び／又は更なる出力装置２４０を有しても良い。
【００４７】
図４Ａ及び図４Ｂは、ナビゲーション装置２００の実施形態における実施の斜視図を示している。図４Ａに示すように、ナビゲーション装置２００は、一体化した入力及び表示用のデバイス２９０（例えばタッチパネル画面）と図２の他の構成要素（内蔵ＧＰＳ受信機２５０、マイクロプロセッサ２１０、電源、メモリシステム２２０などを含むがこれに限定されない）を含むユニットであっても良い。
【００４８】
ナビゲーション装置２００は、アーム２９２上に備え付けられても良い。このアーム２９２は、大きな吸着カップ２９４を用いて、車両のダッシュボード／窓／等に固定されても良い。このアーム２９２は、ナビゲーション装置２００がドッキング可能なドッキングステーションの一例である。
【００４９】
図４Ｂに示すように、ナビゲーション装置２００は、例えば、アーム２９２に対してナビゲーション装置２９２をきちんと接続することで、ドッキングステーションのアーム２９２にドッキング若しくは接続することができる（これは単なる一例で、他に考え得るドッキングステーションへの接続の代替案は、本願の範疇内である）。図４Ｂにおける矢印で示すように、ナビゲーション装置２００は、アーム２９２上で回転可能である。ナビゲーション装置２００とドッキングステーションとの間の接続を解除するためには、例えば、ナビゲーション装置２００上のボタンを押下すればよい（これは単なる一例で、他に考え得るドッキングステーションからの分離の代替案は、本願の範疇内である）。
【００５０】
本願の少なくとも１つの実施形態では、方法は、ナビゲーション装置２００の一体化した入力及び表示用のデバイス２９０における複数のオプションのうち少なくとも１つの選択を促すことと、複数のオプションのうち少なくとも１つの選択の指示を受けた時に、少なくとも１つのオプションの選択の指示を格納することと、少なくとも１つの選択されたオプションを有効にするための少なくとも１つのアイコンを、ナビゲーション装置２００の一体化した入力及び表示用のデバイス２９０上に表示することと、を含むことを特徴とする。
【００５１】
本願の少なくとも１つの実施形態では、ナビゲーション装置２００は、複数のオプションのうち少なくとも１つの選択を促す一体化した入力及び表示用のデバイス２９０と、複数のオプションのうち少なくとも１つの選択の指示を受けた時に、少なくとも１つのオプションの選択の指示を格納するメモリ２３０と、を備え、一体化した入力及び表示用のデバイス２９０は、少なくとも１つの選択されたオプションを有効にするための少なくとも１つのアイコンを表示するために使用可能であることを特徴とする。
【００５２】
本願の一例としての実施形態は、図５に示されている。最初に、ナビゲーション装置２００を起動した後、例えばステップS2において、ナビゲーション装置２００の一体化した入力及び表示用のデバイス２９０上の表示を介して、複数のオプションのうち少なくとも１つを選択することをユーザに促しても良い。この促しは、ナビゲーション装置２００の複数のオプション若しくは機能の表示を含みうる。複数のオプション若しくは機能のうちのいくつかは、例えば、音楽機能などの非ナビゲーション機能と関連していても良い。複数のオプションは、例えば、あとで高速及び／又は容易にオプションにアクセスする為に、オプション群のうち１以上の選択を許可する為に表示されても良い。
【００５３】
その後、ステップS4では、少なくとも１つのオプションの選択の指示が、例えばナビゲーション装置２００のメモリ２３０内に格納されても良い。従って、ユーザは、後の高速及び／又は容易なアクセスの為に複数のオプションを選択しても良いし、若しくは１つのオプションを選択しても良い。もし１つもオプションを選択しない場合には、ナビゲーション装置２００は、これらの動作に基づいて何れかの特定のオプションに高速に若しくはさもなければ即座にアクセスするための能力を有することなく、通常動作を行う（しかし、この高速且つ容易なアクセスをすでに確立しても良いし、本願の他の実施形態に関して説明するように、その後の高速且つ容易なアクセスの為のオプションを後に有効化しても良い。）。
【００５４】
一度、選択されたオブションがステップＳ４で格納されると、ナビゲーション装置２００の一体化した入力及び表示用のデバイス２９０は、少なくとも１つの選択されたオプションを有効化するために、少なくとも１つのアイコンを表示することができる。このようなアイコンは、例えば、ナビゲーションモード（例えば、ナビゲーション情報及び／又は地図情報を表示しているときなど）においてナビゲーション装置２００が使用されている間に表示されても良い。これによりユーザは、迅速に特定の選択されたオプションにアクセスすることができる。
【００５５】
加えて、この方法は更に、例えばナビゲーション装置２００のプロセッサ２１０により、１以上のオプションが選択されたか否かを判定するためにも利用できるし、１以上のオプションが選択されたか否かに応じてアイコンの表示を変えることもできる。例えば、ステップＳ６では、１つのオプションが選択されたか否かを判定することができる。もしそうであれば、ステップＳ８において、アイコンの表示は、選択されたオプションを代表するアイコンの表示を含むことができる。従って、例えば、ナビゲーションモードにおいてナビゲーション装置２００の使用中に一体化した入力及び表示用のデバイス２９０上に、この１つのアイコンを表示することで、及び選択されたオプションを代表するように表示するアイコンを有することで、ユーザは、そのオプションが容易にアクセス可能且つ有効化可能であることを迅速に知ることができ、その後続の選択により、ユーザは所望のオプションを容易に有効化することができる。
【００５６】
ステップＳ６では、例えばナビゲーション装置２００のプロセッサ２１０により、１つのオプションが選択されていると判定されず、例えば複数のオプションが選択されている、と判定された場合には、複数のオプションアイコンの表示を可能にする為に使用可能なアイコンは、ステップＳ１０で表示可能である。従って、１つのアイコンは、複数のオプションから１つのオプションの選択の指示を受けたときに選択されたオプションの代表でも良いし、複数のオプションから少なくとも２つのオプションの選択の指示を受けたときに複数の選択可能なアイコンの表示を可能にするために使用可能なアイコンでも良い。従って、１つの選択されたオプションを代表するこの表示された１つのアイコンの指示を受けたとき、この選択されたオプションは、例えば、ナビゲーション装置２００のプロセッサ２１０により、有効化される。更に、複数のアイコンの更なる表示を可能にする為に１つのアイコンが使用可能である場合、このアイコンが選択されると、例えば、ナビゲーション装置２００のプロセッサ２１０により、選択されると選択アイコンに対応するオプションを有効化する複数の追加アイコンがその後表示される。上述の状況の何れかにおいて、ナビゲーションモードにおいてナビゲーション装置２００を使用している間に１つのアイコンの表示は維持されても良く、この１つのアイコンはナビゲーションモードにおいてナビゲーション装置２００が使用されている間に地図情報と共に表示されても良い。
【００５７】
図６は、本願の実施形態の更なる例を示している。図６に示すように、ステップＳ２０において最初は、オプション若しくは”quick menu preferences”を選択するためのオプションを含む優先モードが、例えば一体化した入力及び表示用のデバイス２９０上に、ユーザに対して表示されても良い。ステップＳ２０において表示された”quick menu preferences”仮想ボタンを選択すると、複数の選択可能なオプション若しくは”quick menu preferences”は、ステップＳ２２で表示される。ここで、表示可能なクイック・メニュー・プリファランス・オプションが画面全体に合致しない場合には、矢印キーを用いても良い（例えばユーザが選択可能なオプションをスクロール可能にするために）。従って、ステップＳ２２では、ユーザは、複数のオプションのうち少なくとも１つを選択することを促される。
【００５８】
その後、ステップＳ２４において、例えばプロセッサ２１０は、何れかのオプションが選択されたか否かを判定する。もしオプションが選択されていない場合には、その後オプションが選択される及び／又は有効化されるまで若しくはその後オプションが選択される及び／又は有効化されることがない限りはクイック・メニュー  アクセスは許可されないように、クイック・メニューはステップＳ２６で除去される。
【００５９】
ステップＳ２４に対する回答がyesである場合には、その後、例えばプロセッサ２１０は、１つのみのオプションが選択されたと、ステップＳ２８で判定しても良い。従って、複数のオプションのうち少なくとも１つの選択の指示を受けたときに、例えばメモリ２３０内に少なくとも１つのオプションの選択の指示を格納しても良いし、プロセッサ２１０は、１つのみのオプションが選択されたか否かを判定しても良い。もしそうであれば、その後ステップＳ３０において、例えばナビゲーションモード若しくはナビゲーションビューにおいてナビゲーション装置２００が使用されている間は選択されたオプションを代表するアイコンを（例えば一体化した入力及び表示用のデバイス２９０上に）（例えば地図情報や他のナビゲーション情報と共に等）表示しても良い。この表示は、選択された１つのオプションを有効化する為に使用可能な代表アイコンの表示を含む。例えば、ナビゲーションモードにおいて表示する際に、選択されたオプションを代表するアイコンを表示すべきであることをプロセッサ２１０に示すフラグをセットしてメモリ２３０内に格納しても良い。
【００６０】
ステップＳ２８に対する回答がnoである場合には、その後、方法はステップＳ３２に移動し、そこで、選択可能な複数のアイコンの表示を可能にする為に使用可能なアイコン、例えば緑の矢印のショートカットアイコン、を例えば一体化した入力及び表示用のデバイス２９０上に、ナビゲーションビュー若しくはナビゲーションモードにおいて表示しても良い。例えば、ナビゲーションモード若しくはナビゲーションビューにおいて表示する際に、選択可能な複数のアイコンの表示を有効にするために使用可能なアイコンを、選択されたオプションを続いて有効にする為に、表示すべきであることをプロセッサ２１０に示すフラグを、セットしてメモリ２３０内に格納しても良い。
【００６１】
図７Ａ及び７Ｂは、例えばナビゲーション装置２００の一体化した入力及び表示用のデバイス２９０上に表示される、複数のオプションのうち少なくとも１つの選択を促す際に使用可能な表示の一例を示す。図７Ａに示すように、例えば、ナビゲーション装置２００の一体化した入力及び表示用のデバイス２９０上に、第１の固定数の選択可能なオプションを表示しても良い。この場合、矢印キーは、図７Ｂに示す画面等、この固定数の選択可能なオプションの次の画面にスクロールする為に使用可能であり、この場合、第１の固定数の選択可能なオプションのうちの追加的な１つは、表示される。
【００６２】
オプションは、ナビゲーションシステム２００によって設定された任意の固定数のオプションを含みうるが、図７Ａ及び７Ｂに示すような２つの表示画面内に表示されたそれらに、種類や数によって、限定されるものではない。更に、１２の選択可能なオプションのうち６のみを表示する図７Ａの表示は、任意の数のオプションを一度に表示するという限定として解釈されるべきではない。
【００６３】
ここで、様々な種類のオプションは、多くの異なるタイプのプリファランス、オプション、ナビゲーション装置２００の機能、の何れかにアクセスする為のオプションを、最も所望とされるプリファランス、オプション、機能により容易に迅速にアクセスすることを特定のユーザによって許可されるような形態で、含みうる。
【００６４】
例えば、ナビゲーション装置２００のユーザが音楽が好きである場合、ナビゲーション装置２００が現在ナビゲーションモードであったとしても、迅速なアクセスが、例えばＭＰ３プレーヤや他の音楽プレーヤとしてナビゲーション装置２００を使用することを可能にする為に、図７Ａに示すような「Ｔｏｍ  Ｔｏｍ  Ｊｕｋｅｂｏｘ」オプションをユーザが選択したいかもしれない。もしユーザが例えば天候に迅速にアクセスすることを望んでいる場合、ユーザは例えば図７Ｂに示すように、天候オプションを選択することを望んでいるかもしれない。
【００６５】
図７Ａ及び７Ｂに示す１２のオプション等の、ある設定された数のオプションを選択のためにユーザに対して表示することが好ましい。そして、常に選択するために、例えば６のオプション等の限られた数のオプション（若しくはナビゲーション装置２００の一体化した入力及び表示上に常に表示可能な何らかの固定された数のオプション）、を設定することが更に好ましい。従って、本願はこのようには限定されないが、１つの例としての実施形態では、複数の促されたオプションは、設定された数のオプションを含む。更に、本願の少なくとも１つの実施形態では、複数の促されたオプションよりも少ない、他の設定された数のオプションは、少なくとも１つの選択可能なオプションとして、選択可能である。
【００６６】
図８は、ナビゲーションモードにおいて用いられる若しくはナビゲーションビューにおいて示される、例えば一体化した入力及び表示用のデバイス２９０上の、ナビゲーション装置２００の表示例の図解を提供する。この表示は、一般的には、２つの表示領域、即ち、ナビゲーション若しくは状態バー８１０と、地図表示領域８２０と、を含む。地図表示領域８２０は、一般的にはラベル付きの地図情報８３０と走向ルート指示８４０とを含む。状態バー８１０の領域は、時間、距離、速度、等を含む。
【００６７】
図８に示された実施形態の例では、唯一のオプションとして（例えば図５のステップS6で）選択された「Ｔｏｍ  Ｔｏｍ  Ｊｕｋｅｂｏｘ」オプションの代表アイコン、即ち、選択された「Ｔｏｍ  Ｔｏｍ  Ｊｕｋｅｂｏｘ」オプションの１つの代表アイコンが、例えば、音符８５０として表示されている。（なお、音符アイコン８５０は、円のようなもので強調のみのために囲んでおり、含まれていても、それは図８の表示の一部を意図するものではない。）
従って、最初に、図７Ａ、７Ｂに示す複数のオプションのうち少なくとも１つの選択を促すことに続き、及び選択された「Ｔｏｍ  Ｔｏｍ  Ｊｕｋｅｂｏｘ」オプションの指示を、例えばメモリ２３０内に格納することに続いて、選択された「Ｔｏｍ  Ｔｏｍ  Ｊｕｋｅｂｏｘ」オプションを代表する１つのアイコンがその後、例えば地図情報８３０及び走行ルート８４０と共に、ナビゲーション装置２００の利用中に表示される。そのようなものとして、もしユーザが、図８に示すようなナビゲーションモード若しくはナビゲーションビューにおいてナビゲーション装置２００を使用する場合、ユーザは、ナビゲーション装置２００の「Ｔｏｍ  Ｔｏｍ  Ｊｕｋｅｂｏｘ」オプションに対して、迅速且つ容易にアクセスすることができる。従って、図８に示す音符アイコン８５０を選択する際、ナビゲーション装置２００のプロセッサ２１０は、アイコンの選択を認識し、且つナビゲーション装置２００の「Ｔｏｍ  Ｔｏｍ  Ｊｕｋｅｂｏｘ」オプション又は機能を有効化する。従ってユーザには、この「お気に入り」の機能やオプションに対する迅速なアクセスが提供される。もちろん、音符アイコン８５０は、選択されたオプションを代表するアイコンの単なる一例であって、本願の実施形態は、そのようなことに限定されるものでないことに注意されたい。図９Ａ、９Ｂは、促されたときに、複数のオプションを選択する、本願の実施形態の他の態様を示す（即ち、５つの特定のオプションが選択される場合）。従って、このような例では、複数のオプションが選択され、選択された複数のオプションの指示が例えばメモリ２３０内に格納されると、例えばプロセッサ２１０はその後、ナビゲーションビュー若しくはナビゲーションモードにおいてナビゲーション装置２００の使用中に、より一般的な１つのアイコンのユーザへの表示を、指示する。これは、例えば図１０のアイコン８６０により示されている。
【００６８】
図１０は、ナビゲーション若しくは状態バー８１０と、地図表示領域８２０と、地図情報８３０と、走向ルート８４０と、を含む、幾分か図８と似ている、例えばナビゲーションモードにおけるナビゲーション装置２００の使用中におけるナビゲーションビュー表示を含む。表示されているアイコン８６０は、何れかの特定のモードの代表ではなく、むしろユーザにより選択された複数のモード若しくはオプションという事実の代表である。（従って、矢印８６０などの一般的なアイコンが示される。この矢印は更に、この矢印の選択が更にオプションの選択を要求することを示す緑の矢印でありうる。）
従って、プロセッサ２１０により複数のオプションの選択の指示を受けた際には、図１０に示した矢印８６０等の更なる選択を代表するアイコンは、一体化した入力及び表示用のデバイス２９０上に表示される。このようなアイコン８６０が選択されると、例えば図１１に示したアイコンの更なる表示が可能になる。
【００６９】
従って、図９Ａ、９Ｂに示す５つの選択されたオプションの指示を受けた際、メモリ２３０内にこの指示を格納した際、矢印アイコン８６０等の更なる選択を代表するアイコンを表示した際、図１０の矢印アイコン８６０の選択の指示をプロセッサ２１０が受信したことに応答して、複数の追加的なアイコンは、一体化した入力及び表示用のデバイス２９０上に表示されても良い。これらのアイコンは、選択されたオプションを代表する。
【００７０】
例えば、図１０に示すように、５つのアイコン４００，５００，６００，７００，８００のそれぞれは、図９Ａ、９Ｂの５つの選択されたオプションのそれぞれの代表である。なお、図１０の表示されたアイコンの何れかの選択の指示を受けた際には、プロセッサ２１０は、対応する選択されたオプションを有効化する。従って、唯一のオプションが、ナビゲーション装置２００のユーザによって選択された場合には、このオプションを代表する１つのみのアイコン（例えば図８の音符アイコン８５０等）が、ナビゲーションモードにおいてユーザに対して表示される。もし複数のオプションが選択された場合には、その後、１つの一般的なアイコン（例えば図９の矢印アイコン８６０等）、ここでその一般的なアイコン８６０の選択はその後、図１１に示した更なるアイコンの表示を可能にし、選択されたオプションのそれぞれの代表、その選択は、対応するオプションを有効化する。
【００７１】
前に示したように、図１１に示した特定のアイコンの選択は、特定のオプションを有効化する。特定の時点で、例えば安全カメラが存在しない特定領域内で安全カメラを報告するオプション等のオプションが有効化できない場合、例えば図１１に示したグレーアウトされたアイコン５００等のアイコンは、他のアイコンの表示と区別されうる。そのようなとき、アイコンは、特定のオプションを有効化するために選択可能ではない。
【００７２】
なお、本願の実施形態の上記の態様のそれぞれは、本願の方法に関して説明したものである。しかし、本願の少なくとも１つの実施形態は、ナビゲーション装置２００に関するものである。このナビゲーション装置２００は、複数のオプションのうち少なくとも１つの選択を促す一体化した入力及び表示用のデバイス２９０と、複数のオプションのうち少なくとも１つの選択の指示を受けた際には、この少なくとも１つのオプションの選択の指示を格納するメモリ２３０とを含み、一体化した入力及び表示用のデバイス２９０は、少なくとも１つの選択されたオプションを有効化するための少なくとも１つのアイコンを表示するために使用可能である。そのようなナビゲーション装置２００は更に、オプションの選択の指示を受けた際に、オプションを有効化する及び／又はアイコンの表示を有効化するプロセッサ２１０を有しても良い。従って、そのようなナビゲーション装置２００は、当業者であれば理解されるように、図５〜１１に関して説明した方法の様々な態様を実行するために使用されても良い。従って、更なる説明は、簡素化のために省略する。
【００７３】
本願の少なくとも１つの他の実施形態では、方法は、ナビゲーション装置２００において複数のオプションのうち１つの有効化の指示を受けることと、複数のオプションのうち少なくとも１つの有効化の指示を受けた時に、そのオプションの有効化の指示を格納することと、１つの有効化されたオプションの引き続く有効化の為のアイコンを、ナビゲーション装置２００の一体化した入力及び表示用のデバイス２９０上に表示することと、を含むことを特徴とする。
【００７４】
本願の少なくとも１つの他の実施形態では、ナビゲーション装置は、ナビゲーション装置において複数のオプションのうち１つの有効化の指示を受けるプロセッサと、複数のオプションのうち１つの有効化の指示を受けた時に、有効化されたオプションの有効化の指示を格納するメモリと、１つの有効化されたオプションの引き続く有効化の為のアイコンを表示する一体化した入力及び表示用のデバイスと、を含むことを特徴とする。
【００７５】
図１２は、本願の少なくとも１つの追加的な実施形態を実施するための方法フローを示している。ステップＳ４２では、例えばプロセッサ２１０により、複数のオプションのうち１つの有効化の指示を受ける。その後、ステップＳ４４では、有効化されたオプションの有効化の指示を、例えばメモリ２３０内に格納し、続いて、有効化されたオプションの引き続く有効化のためのアイコンを、例えば一体化した入力及び表示用のデバイス２９０上に表示する。ここで、この表示は、アクセスのために他のオプションが以前に選択されたか否かに応じて、２つの異なる表示を含むことに注意されたい。
【００７６】
例えば、ステップＳ４４において、有効化されたオプションの指示を格納したことに続いて、例えば本願の図７Ａ及び７Ｂ、若しくは図９Ａ及び９Ｂに示されたように複数のオプションを促すことを介してなど、アクセスのために他の何れかのオプションが以前に選択されたか否かを、例えばプロセッサ２１０により、ステップＳ４６において判定可能である。選択されていないのであれば、有効化されたオプションを代表するアイコンをステップＳ４８で表示する。従って、例えば図７Ａ及び７Ｂ、若しくは図９Ａ及び９Ｂにおける促しを介してなど、アクセスのために以前に選択された他のオプションが存在しないのであれば、特定のオプションが有効化されると、プロセッサ２１０は、そのオプションの引き続く有効化の為のアイコンを表示するように、一体化した入力及び表示用のデバイス２９０に指示することができる（「Ｔｏｍ  Ｔｏｍ  Ｊｕｋｅｂｏｘ」が有効化されており且つアクセスのために以前に選択された他のオプションがないとした場合、図８の音符アイコン８５０等）。
【００７７】
そのような状況において、ナビゲーション装置２００は、ユーザが一度オプションを有効化すると、そのユーザはそのオプションを再度有効化する為に高速なアクセスを望んでいるかもしれないと推測する。そのような高速なアクセスは、複数のオプションのうち、アクセスのために以前に選択された他のオプションがないということを判定する際に、例えば一体化した入力及び表示用のデバイス２９０上に、有効化されたオプションを代表するアイコンを表示することで達成されうる。そのようなアイコンは、図８に関して以前に成された説明と幾分か似ているように、例えばナビゲーションモードにおいてナビゲーション装置２００を使用中に、地図情報８３０と共に表示されても良い。
【００７８】
ステップＳ４６では、例えば図７Ａ、７Ｂ、９Ａ、若しくは９Ｂに示された、促されているオプションメニューからの選択を介して、アクセスのために他の何れかのオプションが以前に選択されたと判定されると、選択されたオプションの引き続く有効化のための、複数のオプションアイコン（例えば図１１のアイコン４００，５００，６００，７００，８００等）の表示を可能にするために使用可能なアイコンを、ステップＳ５０で表示することができる（例えば図１０の矢印アイコン８６０等）。従って、ナビゲーションモードにおいてナビゲーション装置２００の使用中に、このようなアイコンは地図情報と共に表示可能ではあるが、このようなアイコンは、複数のオプションのうち少なくとも他の１つがアクセスのために以前に選択されたと判定された際に、有効化されたオプションを代表せず、複数のアイコンの更なる表示を可能にするために利用可能である。複数のアイコンのそれぞれは、少なくとも１つの有効化されたオプションの代表、アクセスのために以前に選択されたオプションの代表、である。これは例えば、表示されたアイコンは以前に有効化された複数のオプション及びアクセスのために以前に選択されたオプションの代表、の更なる表示を可能にするために使用可能であり、例えば図１０の矢印アイコン８６０でも良い、という場合である。そのようなオプションは、図１１に示したオプションを含んでも良い。その場合、例えば表示された複数のアイコン４００，５００，６００，７００，８００のうち１つの引き続く選択の指示を受けた際に、選択されたアイコンに対応するオプションが有効化される。
【００７９】
ここで、本願の実施形態の上述の態様のそれぞれは、本願の方法に関して説明していることに注意されたい。しかし、本願の少なくとも１つの実施形態は、ナビゲーション装置２００に関するものである。このナビゲーション装置２００は、ナビゲーション装置２００において複数のオプションのうち１つの有効化の指示を受けるプロセッサ２１０と、複数のオプションのうち１つの有効化の指示を受けた時に、有効化されたオプションの有効化の指示を格納するメモリ２３０と、１つの有効化されたオプションの引き続く有効化の為のアイコンを表示する一体化した入力及び表示用のデバイス２９０と、を含むことを特徴とする。従って、このようなナビゲーション装置２００は、当業者であれば理解されるように、図１２に関して説明した方法の様々な態様を実行するために使用されても良い。従って、更なる説明は、簡素化のため、省略する。
【００８０】
図１３は、本願の更なる実施形態の他の例としてのフローチャートを示している。ステップＳ６０において、例えば、図６のステップＳ２２のクイック・メニュー・プリファランス選択の外で、ユーザは、例えばプロセッサ２１０により検出可能な、オプションを有効化しても良い。その後、ステップＳ６２では、プロセッサ２１０は、１つのみのオプションが有効化されているか否かを判定する。もしそうであれば、ステップＳ６４において、例えば、図８の音符アイコン８５０などの、選択された機能若しくは選択されたオプションを代表するアイコンは、ナビゲーション装置２００のナビゲーションビュー若しくはナビゲーションモードにおいて表示される。
【００８１】
ステップＳ６２においてもたらす質疑に対する応答がnoである場合、この方法はステップＳ６６に進む。ステップＳ６６では、プロセッサ２１０は、クイック・メニューにおいて、有効化されたオプションが７番目のオプションか否か、即ち、他の何れかの設定された最大数のオプションが、アクセスのために既に選択されているか否か、を判定する（ナビゲーションシステムが、例えば６個のオプションなど、一度に高速にアクセスするために選択可能な固定された数若しくは設定された数のオプションのみを含むとする）。もしプロセッサ２１０が、オプションが７番目のオプションではない（即ち、クイック・メニュー処理を介して有効化された設定された数のオプションよりも高いオプションではない）と判定した場合、その後、方法はステップＳ７０に進む。ステップＳ７０では、新たに有効化されたオプションが、再び容易にオプションを選択するためにクイック・メニューにおいて利用可能である旨を表示することを可能にする。
【００８２】
その後、方法は、ステップＳ７２に進む。ステップＳ７２では、例えば図１０のアイコン８６０等の矢印ショートカットアイコンが、ナビゲーション装置２００のナビゲーションビュー若しくはナビゲーションモードにおいて表示されても良い。有効化されたオプションが７番目のオプション、若しくはクイック・メニュー処理を介してアクセス可能な設定された数のオプションよりも高いオプション、であるとステップＳ６６で判定された場合、処理はステップＳ６８に進む。ステップＳ６８では、クイック・メニューが新たに有効化されたオプションにアクセスできるように、有効化されたオプションのうちの１つが無効化される。その後、プロセッサ２１０はステップＳ７０において、この新たに有効化されたオプションをユーザに通知するための表示を可能にする。このオプションは、ステップＳ７２においてナビゲーション装置２００のナビゲーションビューにおいて表示される緑の矢印ショートカットアイコンを介してアクセス可能である。クイック・メニュー中に再配置される特定のアイコンをユーザが気に入らなかった場合、ユーザは、その後メニュー選択に戻り、新しい好みのオプションを選択しても良い。
【００８３】
なお、本願の実施形態の上述の態様のそれぞれは、本願の方法に関して説明している。しかし、本願の少なくとも１つの実施形態は、ナビゲーション装置２００に関するものである。このナビゲーション装置２００は、ナビゲーション装置２００において複数のオプションのうち１つの有効化の指示を受けるプロセッサ２１０と、複数のオプションのうち１つの有効化の指示を受けた時に、有効化されたオプションの有効化の指示を格納するメモリ２３０と、１つの有効化されたオプションの引き続く有効化の為のアイコンを表示する一体化した入力及び表示用のデバイス２９０と、を含むことを特徴とする。従って、このようなナビゲーション装置２００は、当業者であれば理解されるように、図１３に関して説明した方法の様々な態様を実行するために使用されても良い。従って、更なる説明は、簡素化のため、省略する。
【００８４】
上記の少なくとも１つの実施形態の方法は、（例えばサーバ３０２のプロセッサ３０４、および／または例えばナビゲーション装置２００のプロセッサ２１０のような）プロセッサによって実行された場合にはプロセッサにそれぞれの方法を行わせるような一連の命令を表す搬送波または伝搬信号として実施されたコンピュータデータ信号として実装されてもよい。少なくとも１つの他の実施形態において、上記で提供された少なくとも１つの方法が、プロセッサまたは他のコンピュータデバイスによって実行された場合にはそれぞれの方法を実行するための、例えば前述のメモリデバイスのうちの１つのような（例えばメモリ２３０のような）、コンピュータ可読媒体またはコンピュータがアクセス可能な媒体上に含まれる一組の命令として上記で実装されてもよい。変形形態において、媒体は、磁気媒体、電子媒体、光学媒体などであってもよい。
【００８５】
さらに、前述の方法のいずれかが、プログラムのかたちで実施されてもよい。プログラムは、コンピュータ可読媒体上に記憶されてもよいし、コンピュータデバイス（プロセッサを含むデバイス）上で実行された場合には前述の方法のうちいずれか１つを実施するように構成される。従って、記憶媒体またはコンピュータ可読媒体は、情報を記憶するように構成され、上記の実施形態のいずれかの方法を実行するため、データ処理機能またはコンピュータデバイスと対話するように構成される。
【００８６】
記憶媒体は、コンピュータデバイスの本体の中に設置された内蔵媒体であってもよいし、あるいは、コンピュータデバイスの本体から分離できるように構成されたリムーバブル媒体であってもよい。内蔵媒体の例には、書き換え可能な不揮発性メモリ、例えばＲＯＭやフラッシュメモリ、およびハードディスクが含まれるがそれらに限定されない。リムーバブル媒体の例には、例えばＣＤ−ＲＯＭやＤＶＤのような光学記憶媒体、例えばＭＯのような光磁気記憶媒体、フロッピー（登録商標）ディスク、カセットテープ、リムーバブルハードディスクを含むがそれらに限定されない磁気記憶媒体、メモリーカードを含むがそれに限定されない内蔵の書き換え可能な不揮発性メモリを備えた媒体、そして、ＲＯＭカセットを含むがそれに限定されない内蔵ＲＯＭを備えた媒体、等が含まれるがそれらに限定されない。さらに、記憶された画像に関する各種の情報、例えば所有権情報が、いかなる他のかたちで記憶されてもよいし、他のやり方で提供されてもよい。
【００８７】
当業者なら本開示を読めば理解するであろうが、ナビゲーション装置２００の電子コンポーネント、および／またはサーバ３０２のコンポーネントは、コンピュータハードウェア回路構成として、またはコンピュータ可読プログラムとして、または両者の組み合わせとして、実施することができる。
【００８８】
本願の実施形態のシステムおよび方法は、本願の教示内容に従って少なくとも１つの方法を実行するため、プロセッサに対して作動するソフトウェアを含む。当業者なら、ソフトウェアプログラムの中にある機能を実行するため、コンピュータを利用したシステムにおいてコンピュータ可読媒体からソフトウェアプログラムが起動されうるやり方を、本開示を読んで把握すれば理解するであろう。当業者であればさらに、本願の方法のうち少なくとも１つを実装して実行するように設計されたソフトウェアプログラムを作成するのに使用されうる各種のプログラミング言語を理解するであろう。
【００８９】
プログラムは、ＪＡＶＡ（登録商標）、Ｓｍａｌｌｔａｌｋ、Ｃ＋＋などを含むがそれらに限定されないオブジェクト指向言語を用いて、オブジェクト指向で構築されてもよいし、プログラムは、ＣＯＢＡＬ、Ｃなどを含むがそれらに限定されない手続き型言語を用いて手続き型指向で構築されてもよい。ソフトウェアコンポーネントは、アプリケーション・プログラム・インタフェース（ＡＰＩ）を含むがそれに限定されない、レポート・プロシージャ・コール（ＲＰＣ）、共通オブジェクト・リクエスト・ブローカー・アーキテクチャ（ＣＯＲＢＡ）、コンポーネント・オブジェクト・モデル（ＣＯＭ）、ディストリビューテッド・コンポーネント・オブジェクト・モデル（ＤＣＯＭ）、ディストリビューテッド・システム・オブジェクト・モデル（ＤＳＯＭ）、および遠隔メソッド呼出し（ＲＭＩ）のようなプロセス間通信技術を含むがそれらには限定されない、当業者にはよく知られているいくつものやり方で通信することができる。しかし、当業者なら本願の開示を読めば理解するであろうが、本願の教示内容は、特定のプログラミング言語または環境に限定されない。
【００９０】
上記のシステム、デバイス、および方法は、精度、プロセッサの速さ、ユーザとナビゲーション装置２００等との対話の容易さを向上させることに関して、例証として記述されたのであって、限定しているのではない。
【００９１】
さらに、本開示および添付の請求項の範囲内で、例示する異なる実施形態の要素および／または機能が、相互に組み合わされたり、および／または相互に代用されたりしてもよい。
【００９２】
さらに、本発明の上述した機能およびその他の例示する機能はいずれも、装置、方法、システム、コンピュータプログラム、およびコンピュータプログラム製品のかたちで実施されてもよい。例えば、上述の方法のうちのいずれも、図面内に図解された方法を行うための構造のいずれかを含むがそれに限定されないシステムまたはデバイスのかたちで実施されてもよい。
【００９３】
例示する実施形態をこのように記述したが、同じことがさまざまに変更されうることが明らかであろう。そのような変更は、本発明の精神と範囲からの逸脱とはみなされるべきではなく、当業者には明らかであろうが、そのような変更形態はすべて、以下の請求項の範囲内に含まれることが意図されている。
【図１】
2010515899.tif 000003
【図２】
2010515899.tif 000004
【図３】
2010515899.tif 000005
【図４Ａ】
2010515899.tif 000006
【図４Ｂ】
2010515899.tif 000007
【図５】
2010515899.tif 000008
【図６】
2010515899.tif 000009
【図７Ａ】
2010515899.tif 000010
【図７Ｂ】
2010515899.tif 000011
【図８】
2010515899.tif 000012
【図９Ａ】
2010515899.tif 000013
【図９Ｂ】
2010515899.tif 000014
【図１０】
2010515899.tif 000015
【図１１】
2010515899.tif 000016
【図１２】
2010515899.tif 000017
【図１３】
2010515899.tif 000018
【国際調査報告】
2010515899.tif 000019
2010515899.tif 000020